(57)【要約】  ＯＮＵ２及び上位ネットワークからフレームを受信するフレーム受信部（光コネクタ７０２、Ｏ／Ｅ変換部７０３及びＡ／Ｄ変換部７０４と、ＬＡＮコネクタ７０５及び主信号処理部７０６）と、フレームを一時的に格納するフレーム格納部７１０と、受信フレームをフレーム格納部７１０に送信するフレーム送信部７１３と、自機及びＯＮＵ２の状態に応じて警報通知を出力する状態監視部７１２と、警報通知を含む通知に応じて内部状態を遷移する内部状態保持部７０８と、内部状態に応じて、フレーム送信部７１３にフレーム送信の停止を指示する上書き処理判定部７０９とを備えた。
2013088470.tif 000002
【特許請求の範囲】
【請求項１】
複数のＯＮＵとの間で通信を行うＯＬＴに適用された通信障害検出装置において、
前記ＯＮＵ及び上位ネットワークからフレームを受信するフレーム受信部と、
フレームを一時的に格納するフレーム格納部と、
前記フレーム受信部により受信されたフレームを前記フレーム格納部に送信するフレーム送信部と、
自機及び前記ＯＮＵの状態に応じて警報通知を出力する状態監視部と、
前記状態監視部からの警報通知を含む通知に応じて自身の内部状態を遷移する内部状態保持部と、
前記内部状態保持部の内部状態に応じて、前記フレーム送信部にフレーム送信の停止を指示するフレーム停止指示部と
を備えた通信障害検出装置。
【請求項２】
ＯＬＴとの間で通信を行うＯＮＵに適用された通信障害検出装置において、
前記ＯＬＴ及び下位端末からフレームを受信するフレーム受信部と、
フレームを一時的に格納するフレーム格納部と、
前記フレーム受信部により受信されたフレームを前記フレーム格納部に送信するフレーム送信部と、
自機の状態に応じて警報通知を出力する状態監視部と、
前記状態監視部からの警報通知を含む通知に応じて自身の内部状態を遷移する内部状態保持部と、
前記内部状態保持部の内部状態に応じて、前記フレーム送信部にフレーム送信の停止を指示するフレーム停止指示部と
を備えた通信障害検出装置。
【請求項３】
前記フレーム格納部は、外部からの要求に応じて、格納しているフレームを出力する
ことを特徴とする請求項１記載の通信障害検出装置。
【請求項４】
前記フレーム格納部は、外部からの要求に応じて、格納しているフレームを出力する
ことを特徴とする請求項２記載の通信障害検出装置。
【請求項５】
外部からの通知に応じてタイマを開始し、所定時間経過した後に、タイマ完了通知を出力する受信フレームタイマ部と、
前記ＯＮＵ、前記上位ネットワーク又は外部端末から特定のフレームフォーマット又はフレームパタンのフレームが受信された場合に、前記受信フレームタイマ部にタイマ開始通知を出力し、当該受信フレームタイマ部からタイマ完了通知を受信した場合に、前記内部状態保持部に内部状態遷移通知を出力するタイマ指示部とを備えた
ことを特徴とする請求項１記載の通信障害検出装置。
【請求項６】
外部からの通知に応じてタイマを開始し、所定時間経過した後に、タイマ完了通知を出力する受信フレームタイマ部と、
前記ＯＬＴ又は前記下位端末から特定のフレームフォーマット又はフレームパタンのフレームが受信された場合に、前記受信フレームタイマ部にタイマ開始通知を出力し、当該受信フレームタイマ部からタイマ完了通知を受信した場合に、前記内部状態保持部に内部状態遷移通知を出力するタイマ指示部とを備えた
ことを特徴とする請求項２記載の通信障害検出装置。
【発明の詳細な説明】
【技術分野】
【０００１】
この発明は、例えばＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システム等の光多分岐通信システムに適用され、障害が発生した際にその原因を早期に特定するための通信障害検出装置に関するものである。
【背景技術】
【０００２】
ＦＴＴＨ（Ｆｉｂｅｒ  Ｔｏ  Ｔｈｅ  Ｈｏｍｅ）等の光アクセスサービスをユーザに提供する手法の１つとして、パッシブ光ネットワーク（ＰＯＮ：Ｐａｓｓｉｖｅ  Ｏｐｔｉｃａｌ  Ｎｅｔｗｏｒｋ）方式がある。
このＰＯＮシステムでは、複数の光端末装置（ＯＮＵ：Ｏｐｔｉｃａｌ  Ｎｅｔｗｏｒｋ  Ｕｎｉｔ）が局内装置（ＯＬＴ：Ｏｐｔｉｃａｌ  Ｌｉｎｅ  Ｔｅｒｍｉｎａｌ）及び伝送路（光ファイバ）を共有する形態をとっている。これにより、光ファイバを用いた高速アクセスサービスを安価で提供することが可能であり、現在では、各家庭にＯＮＵが普及している。【０００３】
また、ＰＯＮシステムでは、ＯＮＵのＣＰＵ機能部により、ＯＮＵの異常を検知することができる。そして、ＯＮＵは、ＯＬＴから許可された送信タイミングで、当該異常を示す警報・状態情報をＯＬＴに通知する。その後、この警報・状態情報は、ＯＬＴのＣＰＵ機能部を経由して、ＯＬＴの監視制御カードに通知される。そして、監視制御カードに接続されたＴＥ（ＰＣ等の端末装置）は、監視制御カードの情報を確認することで、ＯＮＵが異常状態となっていることを確認することができる。【０００４】
また、例えば特許文献１に開示されたＰＯＮシステムでは、ＯＮＵよりローカル側の端末（特定ＯＮＵ）でＯＮＵの状態を確認することを可能としている。これにより、障害が発生した際にＯＮＵ側から障害原因を入手することができ、障害原因の分析調査を効率化できる。特に、新規ＯＮＵの設定時に障害が発生した場合での解析を効率化でき、設置作業時間を短縮できる。【０００５】
一方、ＦＴＴＨ等の光アクセスサービスにて通信障害が発生した場合、ＯＬＴ又はＯＮＵで、ある特定のフレームを受信したために障害状態となった可能性がある。この場合、当該フレームを確認しなければ、障害原因を特定することができない場合がある。
そこで、ＰＯＮ区間のフレームを確認する方法として、ＯＬＴとＯＮＵ間にフレームキャプチャ装置を挿入する方法がある。このフレームキャプチャ装置により、受信したフレームを確認することで、ＯＬＴ又はＯＮＵへ流れるフレームを確認することができる。
【先行技術文献】
【特許文献】
【０００６】
【特許文献１】特開２００９−２７５１８号公報
【発明の概要】
【発明が解決しようとする課題】
【０００７】
しかしながら、フレームキャプチャ装置で一度にキャプチャできるフレーム数には限界がある。そのため、障害発生直前にＰＯＮ区間に流れるフレームを確認することは容易ではないという課題がある。
また、フレームキャプチャ装置を接続するために、ＯＬＴとＯＮＵに接続する光ファイバを抜去する必要がある。そのため、光ファイバを抜去している間、通信断が発生してしまうという課題もある。【０００８】
また、従来の通信障害検出装置では、通信事業者局舎側や加入者宅側からの通信断の検出は可能である。さらに、特許文献１に開示されるように、加入者宅側に対して、伝送路の接続が切れたことや、伝送路からの受信信号を特定するためだけに特化させた特定ＯＮＵを設定することで、ＯＮＵの状態や異常を検知した際に受信したフレームのフォーマットが検出可能である。
しかしながら、この特定ＯＮＵの設置に手間がかかるという課題がある。また、フォーマットのみを確認できても、受信したフレームそのものを検知できないため、障害原因の特定ができない場合があるという課題がある。【０００９】
この発明は、上記のような課題を解決するためになされたもので、障害が発生した場合に、障害が発生する直前に受信していたフレームを得ることで、障害原因を早急に特定することができる通信障害検出装置を提供することを目的としている。
【課題を解決するための手段】
【００１０】
この発明に係る通信障害検出装置は、ＯＮＵ及び上位ネットワークからフレームを受信するフレーム受信部と、フレームを一時的に格納するフレーム格納部と、フレーム受信部により受信されたフレームをフレーム格納部に送信するフレーム送信部と、自機及びＯＮＵの状態に応じて警報通知を出力する状態監視部と、状態監視部からの警報通知を含む通知に応じて自身の内部状態を遷移する内部状態保持部と、内部状態保持部の内部状態に応じて、フレーム送信部にフレーム送信の停止を指示するフレーム停止指示部とを備えたものである。【００１１】
また、この発明に係る通信障害検出装置は、ＯＬＴ及び下位端末からフレームを受信するフレーム受信部と、フレームを一時的に格納するフレーム格納部と、フレーム受信部により受信されたフレームをフレーム格納部に送信するフレーム送信部と、自機の状態に応じて警報通知を出力する状態監視部と、状態監視部からの警報通知を含む通知に応じて自身の内部状態を遷移する内部状態保持部と、前記内部状態保持部の内部状態に応じて、フレーム送信部にフレーム送信の停止を指示するフレーム停止指示部とを備えたものである。
【発明の効果】
【００１２】
この発明によれば、上記のように構成したので、障害が発生する直前の受信フレームを確認することができ、障害原因を解析する際の情報量を増加させることができるため、障害原因特定までの調査作業を効率化することができる。よって、障害原因の特定までの時間を短縮することができる。
【図面の簡単な説明】
【００１３】
【図１】この発明の実施の形態１に係る通信障害検出装置を適用したＯＬＴを備えたＰＯＮシステムの構成を示すブロック図である。
【図２】図１に示すＣＰＵ機能部の構成を示すブロック図である。
【図３】図１に示す通信障害検出装置のフレーム格納動作を示すフローチャートである。
【図４】図１に示す内部状態保持部の状態遷移を示す図である。
【図５】図１に示す通信障害検出装置の状態取得動作を示すフローチャートである。
【図６】図１に示す通信障害検出装置のフレーム取得動作を示すフローチャートである。
【図７】この発明の実施の形態１に係る通信障害検出装置を適用したＯＮＵを備えたＰＯＮシステムの構成を示すブロック図である。
【図８】図７に示す内部状態保持部の状態遷移を示す図である。
【図９】この発明の実施の形態２に係る通信障害検出装置を適用したＯＬＴを備えたＰＯＮシステムの構成を示すブロック図である。
【図１０】図９に示すＣＰＵ機能部の構成を示すブロック図である。
【図１１】図９に示す内部状態保持部の状態遷移を示す図である。
【図１２】この発明の実施の形態２に係る通信障害検出装置を適用したＯＮＵを備えたＰＯＮシステムの構成を示すブロック図である。
【図１３】図１２に示す内部状態保持部の状態遷移を示す図である。
【発明を実施するための形態】
【００１４】
以下、この発明の実施の形態について図面を参照しながら詳細に説明する。
実施の形態１．
まず、実施の形態１に係る通信障害検出装置をＯＬＴ１に適用した場合について示す。図１はこの発明の実施の形態１に係る通信障害検出装置を適用したＯＬＴ１を備えたＰＯＮシステムの構成を示すブロック図である。
ＰＯＮシステムは、図１に示すように、通信事業者局舎に設置されたＯＬＴ１と、加入者宅に設置された複数のＯＮＵ２ａ〜２ｎと、ＯＬＴ１と各ＯＮＵ２ａ〜２ｎとを接続する光スプリッタ３とから構成されている。ＯＬＴ１と光スプリッタ３との間は光ファイバ４により接続され、また、各ＯＮＵ２ａ〜２ｎと光スプリッタ３との間は光ファイバ５ａ〜５ｎにより接続されている。また、ＯＬＴ１にはＴＥ６が接続されている。
なお以下では、特に区別する必要がない場合には、ＯＮＵ２ａ〜２ｎ及び光ファイバ５ａ〜５ｎを単にＯＮＵ２及び光ファイバ５と称す。
【００１５】
次に、ＯＬＴ１の構成について説明する。
ＯＬＴ１は、図１に示すように、複数のＰＯＮインタフェースカード７ａ〜７ｎ及び監視制御カード８から構成されている。なお以下では、特に区別する必要がない場合には、ＰＯＮインタフェースカード７ａ〜７ｎを単にＰＯＮインタフェースカード７と称す。
【００１６】
ＰＯＮインタフェースカード７は、ＯＮＵ２及び上位ネットワークとの間でデータの送受信を行うものである。なお以下では、ＯＮＵ２及び上位ネットワークからのデータ受信動作についてのみ説明する。このＰＯＮインタフェースカード７は、装置内ＩＦ７０１、光コネクタ７０２、Ｏ／Ｅ変換部７０３、Ａ／Ｄ変換部７０４、ＬＡＮコネクタ７０５、主信号処理部７０６、ＣＰＵ機能部７０７、内部状態保持部７０８、上書き処理判定部（フレーム停止指示部）７０９及びフレーム格納部７１０から構成されている。
【００１７】
装置内ＩＦ７０１は、監視制御カード８の後述する装置内ＩＦ８０２と接続されるものである。
光コネクタ７０２は、光ファイバ４により光スプリッタ３と接続され、ＯＮＵ２から光スプリッタ３を経由して送信されたフレームを受信するものである。この光コネクタ７０２により受信されたフレームはＯ／Ｅ変換部７０３に出力される。
【００１８】
Ｏ／Ｅ変換部７０３は、光コネクタ７０２により受信されたフレーム（光信号）を電気信号に変換するものである。このＯ／Ｅ変換部７０３により電気信号に変換された変換されたフレームはＡ／Ｄ変換部７０４に出力される。
【００１９】
Ａ／Ｄ変換部７０４は、Ｏ／Ｅ変換部７０３により電気信号（アナログ信号）に変換されたフレームを、ＣＰＵ機能部７０７で認識可能なデジタル信号に変換するものである。このＡ／Ｄ変換部７０４によりデジタル信号に変換されたフレームはＣＰＵ機能部７０７に出力される。
【００２０】
ＬＡＮコネクタ７０５は、ケーブルにより上位ネットワークと接続されるものである。
主信号処理部７０６は、上位ネットワークからＬＡＮコネクタ７０５を経由して送信されたフレームを受信するものである。この主信号処理部７０６により受信されたフレームはＣＰＵ機能部７０７に出力される。
なお、光コネクタ７０２、Ｏ／Ｅ変換部７０３及びＡ／Ｄ変換部７０４と、ＬＡＮコネクタ７０５及び主信号処理部７０６は、フレーム受信部を構成する。
【００２１】
ＣＰＵ機能部７０７は、ＰＯＮインタフェースカード７の各機能部を制御するものである。このＣＰＵ機能部７０７は、図２に示すように、制御部７１１、状態監視部７１２及びフレーム送信部７１３から構成されている。
【００２２】
制御部７１１は、主信号処理部７０６の制御、及び、ＬＡＮコネクタ７０５と上位ネットワークとの接続状態の制御を行うものである。
状態監視部７１２は、ＰＯＮインタフェースカード７及び各ＯＮＵ２の状態監視を行い、当該状態に応じて、内部状態保持部７０８に警報通知を出力するものである。また、監視制御カード８から装置内ＩＦ７０１を経由して状態要求通知を受け取った場合には、上記状態を示す状態応答通知を装置内ＩＦ７０１を経由して監視制御カード８に出力する。
【００２３】
フレーム送信部７１３は、Ａ／Ｄ変換部７０４及び主信号処理部７０６からのフレームを認識し、当該フレームをフレーム格納部７１０に送信するものである。また、上書き処理判定部７０９からフレーム停止通知を受け取った場合には、フレーム格納部７１０へのフレーム送信を停止する。
なお、ＣＰＵ機能部７０７は、監視制御カード８から装置内ＩＦ７０１を経由してフレーム要求通知を受け取った場合には、当該通知をフレーム格納部７１０に出力する。
【００２４】
内部状態保持部７０８は、状態監視部７１２からの警報通知及び監視制御部８０３からの内部状態遷移通知に応じて、自身の内部状態を遷移するものである。
上書き処理判定部７０９は、内部状態保持部７０８の内部状態を随時確認し、当該内部状態に応じて、フレーム送信部７１３に、フレーム格納部７１０へのフレーム送信の停止を指示するフレーム停止通知を出力するものである。
【００２５】
フレーム格納部７１０は、フレーム送信部７１３からのフレームを一時的に（上書きで）格納し続けるものである。また、ＣＰＵ機能部７０７からフレーム要求通知を受け取った場合には、格納しているフレームをＣＰＵ機能部７０７及び装置内ＩＦ７０１を経由して監視制御カード８に出力する。
【００２６】
また、監視制御カード８は、各ＰＯＮインタフェースカード７の状態を監視するものである。この監視制御カード８は、ＬＡＮコネクタ８０１、装置内ＩＦ８０２及び監視制御部８０３から構成されている。
【００２７】
ＬＡＮコネクタ８０１は、ケーブルによりＴＥ６と接続されるものである。
装置内ＩＦ８０２は、各ＰＯＮインタフェースカード７の装置内ＩＦ７０１と接続されるものである。
【００２８】
監視制御部８０３は、各ＰＯＮインタフェースカード７の状態を監視するものである。この監視制御部８０３は、ＴＥ６からＬＡＮコネクタ８０１を経由して状態要求通知を受け取った場合に、当該通知を装置内ＩＦ８０２を経由して該当ＰＯＮインタフェースカード７に出力する。そして、当該ＰＯＮインタフェースカード７から装置内ＩＦ８０２を経由して状態応答通知を受け取った場合に、当該通知をＬＡＮコネクタ８０１を経由してＴＥ６に出力する。
また、監視制御部８０３は、フレーム要求通知を装置内ＩＦ８０２を経由して該当ＰＯＮインタフェースカード７に出力し、当該ＰＯＮインタフェースカード７から装置内ＩＦ８０２を経由してフレームを受け取る。
さらに、監視制御部８０３は、ＰＯＮインタフェースカード７の内部状態保持部７０８に対して各種通知（内部状態遷移通知や契機変更通知等）を出力する。
【００２９】
次に、上記のように構成された通信障害検出装置の動作について説明する。
まず、通信障害検出装置のフレーム格納動作について、図３を参照しながら説明する。
通信障害検出装置のフレーム格納動作では、図３に示すように、まず、フレーム受信部はフレームを受信する（ステップＳＴ３１）。すなわち、光コネクタ７０２は、ＯＮＵ２から送信されたフレームを受信する。そして、Ｏ／Ｅ変換部７０３は、このフレームを電気信号に変換し、Ａ／Ｄ変換部７０４は、ＣＰＵ機能部７０７で認識可能なデジタル信号に変換する。また、主信号処理部７０６は、上位ネットワークから送信されたフレームを受信する。
【００３０】
次いで、ＣＰＵ機能部７０７のフレーム送信部７１３は、フレーム受信部からのフレームをフレーム格納部７１０に送信する（ステップＳＴ３２）。
次いで、フレーム格納部７１０は、フレーム送信部７１３からのフレームを一時的に格納する（ステップＳＴ３３）。
【００３１】
一方、上書き処理判定部７０９は、内部状態保持部７０８の内部状態を随時確認し、当該内部状態に応じて、フレーム送信部７１３に、フレーム格納部７１０へのフレーム送信の停止を指示するフレーム停止通知を行う（ステップＳＴ３４）。
次いで、フレーム送信部７１３は、上書き処理判定部７０９からのフレーム停止通知に応じて、フレーム格納部７１０へのフレーム送信を停止する（ステップＳＴ３５）。
【００３２】
ここで、内部状態保持部７０８の状態遷移について、図４を参照しながら説明する。
図４において、上書き処理判定部７０９は、内部状態保持部７０８が状態Ａの場合には、フレーム送信部７１３にフレーム停止通知を出力せず、内部状態保持部７０８が状態Ｂの場合には、フレーム送信部７１３にフレーム停止通知を出力するものとする。
ここで、内部状態保持部７０８が状態Ａから状態Ｂへ遷移する契機ａ１は、監視制御部８０３からの内部状態遷移通知、又は、状態監視部７１２からの特定の警報通知である。
【００３３】
また、状態監視部７１２からの警報通知では、例えば、ＰＯＮインタフェースカード７の故障、及び、ＰＯＮインタフェースカード７と任意のＯＮＵ２との通信断等の複数の警報を契機ａ１としてもよいし、単一の警報（例えばＯＮＵ２の通信断）のみを契機ａ１としてもよい。
また、どの警報を契機ａ１とするかは、内部状態保持部７０８に予め設定されている。この設定は、監視制御部８０３からの契機変更通知により変更可能である。
【００３４】
一方、内部状態保持部７０８が状態Ｂから状態Ａへ遷移する契機ｂ１は、監視制御部８０３からの内部状態遷移通知のみとする。
これにより、ＰＯＮインタフェースカード７がリセットし、初期状態に戻っても、フレーム格納部７１０内のフレームデータが初期化されることを回避できる。
【００３５】
次に、通信障害検出装置の状態取得動作について、図５を参照しながら説明する。
通信障害検出装置の状態取得動作では、図５に示すように、まず、ＴＥ６は、監視制御部８０３に、ＰＯＮインタフェースカード７及び／又はＯＮＵ２についての状態要求通知を行う。そして、監視制御部８０３は、ＴＥ６からの状態要求通知をＣＰＵ機能部７０７に出力する（ステップＳＴ５１）。
次いで、ＣＰＵ機能部７０７の状態監視部７１２は、この状態要求通知に応じて、該当するＰＯＮインタフェースカード７及び／又はＯＮＵ２の状態を示す状態応答通知を監視制御部８０３に出力する。そして、監視制御部８０３は、ＣＰＵ機能部７０７からの状態応答通知をＴＥ６に出力する（ステップＳＴ５２）。
【００３６】
次に、通信障害検出装置のフレーム取得動作について、図６を参照しながら説明する。
通信障害検出装置のフレーム取得動作では、図６に示すように、まず、監視制御部８０３は、ＣＰＵ機能部７０７にフレーム要求通知を行う。そして、ＣＰＵ機能部７０７は、監視制御部８０３からのフレーム要求通知をフレーム格納部７１０に出力する（ステップＳＴ６１）。
次いで、フレーム格納部７１０は、このフレーム要求通知に応じて、格納しているフレームを監視制御部８０３に出力する（ステップＳＴ６２）。
これにより、通信障害が発生した場合に、通信障害が発生する直前にＯＬＴ１で受信した全てのフレームを検出することができる。
【００３７】
次に、実施の形態１に係る通信障害検出装置をＯＮＵ２に適用した場合について示す。図７はこの発明の実施の形態１に係る通信障害検出装置を適用したＯＮＵ２を備えたＰＯＮシステムの構成を示すブロック図である。
図７に示すＰＯＮシステムは、図１に示すＰＯＮシステムからＴＥ６を削除し、各ＯＮＵ２ａ〜２ｎにＴＥ９ａ〜９ｎを接続したものである。なお以下では、特に区別する必要がない場合には、ＴＥ９ａ〜９ｎを単にＴＥ９と称す。
【００３８】
次に、ＯＮＵ２の構成について説明する。
ＯＮＵ２は、ＯＬＴ１及びＴＥ９との間でデータの送受信を行うものである。なお以下では、ＯＬＴ１及びＴＥ９からのデータ受信動作についてのみ説明する。このＯＮＵ２は、図７に示すように、光コネクタ２０１、Ｏ／Ｅ変換部２０２、Ａ／Ｄ変換部２０３、ＬＡＮコネクタ２０４、主信号処理部２０５、ＣＰＵ機能部２０６、内部状態保持部２０７、上書き処理判定部２０８及びフレーム格納部２０９から構成されている。
【００３９】
光コネクタ２０１は、光ファイバ５により光スプリッタ３と接続され、ＯＬＴ１から光スプリッタ３を経由して送信されたフレームを受信するものである。この光コネクタ２０１により受信されたフレームはＯ／Ｅ変換部２０２に出力される。
【００４０】
Ｏ／Ｅ変換部２０２は、光コネクタ２０１により受信されたフレーム（光信号）を電気信号に変換するものである。このＯ／Ｅ変換部２０２により電気信号に変換された変換されたフレームはＡ／Ｄ変換部２０３に出力される。
【００４１】
Ａ／Ｄ変換部２０３は、Ｏ／Ｅ変換部２０２により電気信号（アナログ信号）に変換されたフレームを、ＣＰＵ機能部２０６で認識可能なデジタル信号に変換するものである。このＡ／Ｄ変換部２０３によりデジタル信号に変換されたフレームはＣＰＵ機能部２０６に出力される。
【００４２】
ＬＡＮコネクタ２０４は、ケーブルによりＴＥ９と接続されるものである。
主信号処理部２０５は、ＴＥ９からＬＡＮコネクタ２０４を経由して送信されたフレームを受信するものである。この主信号処理部２０５により受信されたフレームはＣＰＵ機能部２０６に出力される。
なお、光コネクタ２０１、Ｏ／Ｅ変換部２０２及びＡ／Ｄ変換部２０３と、ＬＡＮコネクタ２０４及び主信号処理部２０５は、フレーム受信部を構成する。
【００４３】
ＣＰＵ機能部２０６は、ＯＮＵ２の各機能部を制御するものである。このＣＰＵ機能部２０６は、図示はしないが、図２に示すＣＰＵ機能部７０７と同様に、制御部２１０、状態監視部２１１及びフレーム送信部２１２から構成されている。
【００４４】
制御部２１０は、主信号処理部２０５の制御、及び、ＬＡＮコネクタ２０４とＴＥ９との接続状態の制御を行うものである。
状態監視部２１１は、ＯＮＵ２の状態監視を行い、当該状態に応じて、内部状態保持部２０７に警報通知を出力するものである。また、ＯＬＴ１から光スプリッタ３を経由して状態要求通知を受け取った場合には、上記状態を示す状態応答通知を光スプリッタ３を経由してＯＬＴ１に出力する。
【００４５】
フレーム送信部２１２は、Ａ／Ｄ変換部２０３及び主信号処理部２０５からのフレームをフレーム格納部２０９に送信するものである。また、上書き処理判定部２０８からフレーム停止通知を受け取った場合には、フレーム格納部２０９へのフレーム送信を停止する。
なお、ＣＰＵ機能部２０６は、ＯＬＴ１から光スプリッタ３を経由してフレーム要求通知を受け取った場合には、当該通知をフレーム格納部２０９に出力する。
【００４６】
内部状態保持部２０７は、状態監視部２１１からの警報通知及びＯＬＴ１からの内部状態遷移通知に応じて、自身の内部状態を遷移するものである。
上書き処理判定部２０８は、内部状態保持部２０７の内部状態を随時確認し、当該内部状態に応じて、フレーム送信部２１２に、フレーム格納部２０９へのフレーム送信の停止を指示するフレーム停止通知を出力するものである。
【００４７】
フレーム格納部２０９は、フレーム送信部２１２からのフレームを一時的に（上書きで）格納し続けるものである。また、ＣＰＵ機能部２０６からフレーム要求通知を受け取った場合には、格納しているフレームをＣＰＵ機能部２０６を経由してＯＬＴ１に出力する。
【００４８】
次に、上記のように構成された通信障害検出装置の動作について説明する。なお、通信障害検出装置をＯＮＵ２に適用した場合の動作についても、ＯＬＴ１に適用した場合の動作と同様であり、以下、図３，５，６を参照しながら説明を行う。
まず、通信障害検出装置のフレーム格納動作について説明する。
通信障害検出装置のフレーム格納動作では、図３に示すように、まず、フレーム受信部は、ＯＬＴ１からのフレームを受信する（ステップＳＴ３１）。すなわち、光コネクタ２０１は、ＯＬＴ１から送信されたフレームを受信する。そして、Ｏ／Ｅ変換部２０２は、このフレームを電気信号に変換し、Ａ／Ｄ変換部２０３は、ＣＰＵ機能部２０６で認識可能なデジタル信号に変換する。また、主信号処理部２０５は、ＴＥ９から送信されたフレームを受信する。
【００４９】
次いで、ＣＰＵ機能部２０６のフレーム送信部２１２は、フレーム受信部からのフレームをフレーム格納部２０９に送信する（ステップＳＴ３２）。
次いで、フレーム格納部２０９は、フレーム送信部２１２からのフレームを一時的に格納する（ステップＳＴ３３）。
【００５０】
一方、上書き処理判定部２０８は、内部状態保持部２０７の内部状態を随時確認し、当該内部状態に応じて、フレーム送信部２１２に、フレーム格納部２０９へのフレーム送信の停止を指示するフレーム停止通知を行う（ステップＳＴ３４）。
次いで、フレーム送信部２１２は、上書き処理判定部２０８からのフレーム停止通知に応じて、フレーム格納部２０９へのフレーム送信を停止する（ステップＳＴ３５）。
【００５１】
ここで、内部状態保持部２０７の状態遷移について、図８を参照しながら説明する。
図８において、上書き処理判定部２０８は、内部状態保持部２０７が状態Ｃの場合には、フレーム送信部２１２にフレーム停止通知は出力せず、内部状態保持部２０７が状態Ｄの場合には、フレーム送信部２１２にフレーム停止通知を出力するものとする。
ここで、内部状態保持部２０７が状態Ｃから状態Ｄへ遷移する契機ｃ１は、ＯＬＴ１からの内部状態遷移通知、又は、状態監視部２１１からの特定の警報通知である。
【００５２】
また、状態監視部２１１からの警報通知では、例えば、ＯＮＵ２故障、及び、ＯＬＴ１とＯＮＵ２との通信断等の複数の警報を契機ｃ１としてもよいし、単一の警報（例えばＯＮＵ２の通信断）のみを契機ｃ１としてもよい。
また、どの警報を契機ｃ１とするかは、内部状態保持部２０７に予め設定されている。この設定は、ＯＬＴ１からの契機変更通知により変更可能である。
【００５３】
一方、内部状態保持部２０７が状態Ｄから状態Ｃへ遷移する契機ｄ１は、ＯＬＴ１からの内部状態遷移通知のみとする。
これにより、ＯＮＵ２がリセットし、初期状態に戻っても、フレーム格納部２０９内のフレームデータが初期化されることを回避できる。
【００５４】
次に、通信障害検出装置の状態取得動作について説明する。
通信障害検出装置の状態取得動作では、図５に示すように、まず、ＯＬＴ１は、ＣＰＵ機能部２０６にＯＮＵ２についての状態要求通知を行う（ステップＳＴ５１）。
次いで、ＣＰＵ機能部２０６は、この状態要求通知に応じて、ＯＮＵ２の状態を示す状態応答通知をＯＬＴ１に出力する（ステップＳＴ５２）。
【００５５】
次に、通信障害検出装置のフレーム取得動作について説明する。
通信障害検出装置のフレーム取得動作では、図６に示すように、まず、ＯＬＴ１は、ＣＰＵ機能部２０６にフレーム要求通知を行う。そして、ＣＰＵ機能部２０６は、ＯＬＴ１からのフレーム要求通知をフレーム格納部２０９に出力する（ステップＳＴ６１）。
次いで、フレーム格納部２０９は、このフレーム要求通知に応じて、格納しているフレームをＯＬＴ１に出力する（ステップＳＴ６２）。
これにより、通信障害が発生した場合に、通信障害が発生する直前にＯＮＵ２で受信した全てのフレームを検出することができる。
【００５６】
なお、図１ではＯＬＴ１に本発明の通信障害検出装置を適用した場合について示し、図７ではＯＮＵ２に本発明の通信障害検出装置を適用した場合について示したが、ＯＬＴ１及びＯＮＵ２にそれぞれ通信障害検出装置を適用するようにしてもよい。
【００５７】
以上のように、この実施の形態１によれば、特定の警報等の通知直前にＰＯＮインタフェースカード７／ＯＮＵ２でそれぞれ受信したフレームを保持するように構成したので、障害発生後に、障害発生直前に受信したフレームを確認することができる。その結果、障害原因を解析する際に発生する作業が効率化でき、障害原因判明までの時間を短縮することができる。
【００５８】
実施の形態２．
まず、実施の形態２に係る通信障害検出装置をＯＬＴ１に適用した場合について示す。図９はこの発明の実施の形態２に係る通信障害検出装置を適用したＯＬＴ１を備えたＰＯＮシステムの構成を示すブロック図であり、図１０はＣＰＵ機能部７０７の構成を示すブロック図である。図９，１０に示す実施の形態２に係るＰＯＮシステムは、図１，２に示す実施の形態１に係るＰＯＮシステムに、受信フレームタイマ部７１４及びタイマ指示部７１５を追加したものである。その他の構成は同様であり、同一の符号を付してその説明を省略する。
【００５９】
受信フレームタイマ部７１４は、タイマ指示部７１５からタイマ開始通知を受け取った場合に、タイマを開始し、予め設定された時間が経過した後、タイマ完了通知をタイマ指示部７１５に出力するものである。なお、タイマ開始からタイマ完了までの間に、タイマ指示部７１５からタイマ開始通知を再度受け取った場合には、タイマをリセットし、再度タイマを開始する。また、設定されたタイマ時間は、監視制御部８０３からのタイマ変更通知により変更可能である。
【００６０】
タイマ指示部７１５は、主信号処理部７０６、Ａ／Ｄ変換部７０４又は監視制御部８０３から特定のフレームフォーマット又はフレームパタンのフレームを受信した場合に、受信フレームタイマ部７１４にタイマ開始通知を出力するものである。また、受信フレームタイマ部７１４からタイマ完了通知を受け取った場合に、内部状態保持部７０８に内部状態遷移通知を出力する。
【００６１】
次に、内部状態保持部７０８の状態遷移について、図１１を参照しながら説明する。
図１１において、上書き処理判定部７０９は、内部状態保持部７０８が状態Ｅの場合には、フレーム送信部７１３にフレーム停止通知は出力せず、内部状態保持部７０８が状態Ｆの場合には、フレーム送信部７１３にフレーム停止通知を出力するものとする。
ここで、内部状態保持部７０８が状態Ｅから状態Ｆへ遷移する契機ｅ１は、監視制御部８０３からの内部状態遷移通知、又は、ＣＰＵ機能部７０７からの特定の警報通知又は内部状態遷移通知である。
【００６２】
一方、内部状態保持部７０８が状態Ｆから状態Ｅへ遷移する契機ｆ１は、監視制御部８０３からの内部状態遷移通知のみとする。
これにより、ＰＯＮインタフェースカード７がリセットし、初期状態に戻っても、フレーム格納部７１０内のフレームデータが初期化されることを回避できる。
その他の動作は、実施の形態１と同様であり、その説明を省略する。
【００６３】
次に、実施の形態２に係る通信障害検出装置をＯＮＵ２に適用した場合について示す。図１２はこの発明の実施の形態２に係る通信障害検出装置を適用したＯＮＵ２を備えたＰＯＮシステムの構成を示すブロック図である。図１２に示す実施の形態２に係るＰＯＮシステムは、図７に示す実施の形態１に係るＰＯＮシステムに受信フレームタイマ部２１３を追加したものである。また、図示はしないが、図１０のＣＰＵ機能部７０７と同様に、ＣＰＵ機能部２０６にタイマ指示部２１４を追加したものである。その他の構成は同様であり、同一の符号を付してその説明を省略する。
【００６４】
受信フレームタイマ部２１３は、タイマ指示部２１４からタイマ開始通知を受け取った場合に、タイマを開始し、予め設定された時間が経過した後、タイマ完了通知をタイマ指示部２１４に出力するものである。なお、タイマ開始からタイマ完了までの間に、タイマ指示部２１４からタイマ開始通知を再度受けた場合には、タイマをリセットし、再度タイマを開始する。また、設定されたタイマ時間は、ＯＬＴ１からのタイマ変更通知により変更可能である。
【００６５】
タイマ指示部２１４は、主信号処理部２０５又はＡ／Ｄ変換部２０３から特定のフレームフォーマット又はフレームパタンのフレームを受信した場合に、受信フレームタイマ部２１３にタイマ開始通知を出力するものである。また、受信フレームタイマ部２１３からタイマ完了通知を受け取った場合に、内部状態保持部２０７に内部状態遷移通知を出力する。
【００６６】
次に、内部状態保持部２０７の状態遷移について、図１３を参照しながら説明する。
図１３において、上書き処理判定部２０８は、内部状態保持部２０７が状態Ｇの場合には、フレーム送信部２１２にフレーム停止通知は出力せず、内部状態保持部２０７が状態Ｈの場合には、フレーム送信部２１２にフレーム停止通知を出力するものとする。
ここで、内部状態保持部２０７が状態Ｇから状態Ｈへ遷移する契機ｇ１は、ＯＬＴ１からの内部状態遷移通知、又は、ＣＰＵ機能部２０６からの特定の警報通知又は内部状態遷移通知である。
【００６７】
一方、内部状態保持部２０７が状態Ｈから状態Ｇへ遷移する契機ｈ１は、ＯＬＴ１からの内部状態遷移通知のみとする。
これにより、ＯＮＵ２がリセットし、初期状態に戻っても、フレーム格納部２０９内のフレームデータが初期化されることを回避できる。
その他の動作は、実施の形態１と同様であり、その説明を省略する。
【００６８】
以上のように、この実施の形態２によれば、特定のフレームフォーマット又はフレームパタンのフレームを受信した後、所定時間の間に、ＰＯＮインタフェースカード７／ＯＮＵ２でそれぞれ受信されたフレームを保持するように構成したので、障害発生後の障害要因特定の際に、特定フレーム受信後に受信したフレームを確認することができるようになり、障害要因を解析する際に発生する作業が効率化でき、障害原因判明までの時間を短縮することができる。
【００６９】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７０】
この発明に係る通信障害検出装置は、障害が発生する直前の受信フレームを確認することで、障害原因の特定までの時間を短縮することができ、光多分岐通信システムに適用される通信障害検出装置等に用いるのに適している。
【符号の説明】
【００７１】
１  ＯＬＴ、２，２ａ〜２ｎ  ＯＮＵ、３  光スプリッタ、４，５，５ａ〜５ｎ  光ファイバ、６，９，９ａ〜９ｎ  ＴＥ、７，７ａ〜７ｎ  ＰＯＮインタフェースカード、８  監視制御カード、２０１，７０２  光コネクタ、２０２，７０３  Ｏ／Ｅ変換部、２０３，７０４  Ａ／Ｄ変換部、２０４，７０５，８０１  ＬＡＮコネクタ、２０５，７０６  主信号処理部、２０６，７０７  ＣＰＵ機能部、２０７，７０８  内部状態保持部、２０８，７０９  上書き処理判定部、２０９，７１０  フレーム格納部、２１０，７１１  制御部、２１１，７１２  状態監視部、２１２，７１３  フレーム送信部、２１３，７１４  受信フレームタイマ部、２１４，７１５  タイマ指示部、７０１，８０２  装置内ＩＦ、８０３  監視制御部８０３。
【図１】
2013088470.tif 000003
【図２】
2013088470.tif 000004
【図３】
2013088470.tif 000005
【図４】
2013088470.tif 000006
【図５】
2013088470.tif 000007
【図６】
2013088470.tif 000008
【図７】
2013088470.tif 000009
【図８】
2013088470.tif 000010
【図９】
2013088470.tif 000011
【図１０】
2013088470.tif 000012
【図１１】
2013088470.tif 000013
【図１２】
2013088470.tif 000014
【図１３】
2013088470.tif 000015
【手続補正書】
【提出日】平成26年10月14日(2014.10.14)
【手続補正１】
【補正対象書類名】明細書
【補正対象項目名】００１０
【補正方法】変更
【補正の内容】
【００１０】
この発明に係る通信障害検出装置は、ＯＮＵ及び上位ネットワークからフレームを受信するフレーム受信部と、フレームを一時的に格納するフレーム格納部と、フレーム受信部により受信されたフレームをフレーム格納部に送信するフレーム送信部と、ＯＬＴ及びＯＮＵの状態に応じて警報通知を出力する状態監視部と、状態監視部からの警報通知を含む通知に応じて、フレーム送信部によるフレーム送信の停止要否を示す内部状態を遷移する内部状態保持部と、内部状態保持部の内部状態に応じて、フレーム送信部にフレーム送信の停止を指示するフレーム停止指示部とを備えたものである。
【手続補正２】
【補正対象書類名】明細書
【補正対象項目名】００１１
【補正方法】変更
【補正の内容】
【００１１】
また、この発明に係る通信障害検出装置は、ＯＬＴ及び下位端末からフレームを受信するフレーム受信部と、フレームを一時的に格納するフレーム格納部と、フレーム受信部により受信されたフレームをフレーム格納部に送信するフレーム送信部と、ＯＮＵの状態に応じて警報通知を出力する状態監視部と、状態監視部からの警報通知を含む通知に応じて、フレーム送信部によるフレーム送信の停止要否を示す内部状態を遷移する内部状態保持部と、前記内部状態保持部の内部状態に応じて、フレーム送信部にフレーム送信の停止を指示するフレーム停止指示部とを備えたものである。
【手続補正３】
【補正対象書類名】特許請求の範囲
【補正対象項目名】全文
【補正方法】変更
【補正の内容】
【特許請求の範囲】
【請求項１】
複数のＯＮＵとの間で通信を行うＯＬＴに適用された通信障害検出装置において、
前記ＯＮＵ及び上位ネットワークからフレームを受信するフレーム受信部と、
フレームを一時的に格納するフレーム格納部と、
前記フレーム受信部により受信されたフレームを前記フレーム格納部に送信するフレーム送信部と、
前記ＯＬＴ及び前記ＯＮＵの状態に応じて警報通知を出力する状態監視部と、
前記状態監視部からの警報通知を含む通知に応じて、前記フレーム送信部によるフレーム送信の停止要否を示す内部状態を遷移する内部状態保持部と、
前記内部状態保持部の内部状態に応じて、前記フレーム送信部にフレーム送信の停止を指示するフレーム停止指示部と
を備えた通信障害検出装置。
【請求項２】
ＯＬＴとの間で通信を行うＯＮＵに適用された通信障害検出装置において、
前記ＯＬＴ及び下位端末からフレームを受信するフレーム受信部と、
フレームを一時的に格納するフレーム格納部と、
前記フレーム受信部により受信されたフレームを前記フレーム格納部に送信するフレーム送信部と、
前記ＯＮＵの状態に応じて警報通知を出力する状態監視部と、
前記状態監視部からの警報通知を含む通知に応じて、前記フレーム送信部によるフレーム送信の停止要否を示す内部状態を遷移する内部状態保持部と、
前記内部状態保持部の内部状態に応じて、前記フレーム送信部にフレーム送信の停止を指示するフレーム停止指示部と
を備えた通信障害検出装置。
【請求項３】
前記フレーム格納部は、前記通信障害検出装置の外部からの要求に応じて、格納しているフレームを出力する
ことを特徴とする請求項１記載の通信障害検出装置。
【請求項４】
前記フレーム格納部は、前記通信障害検出装置の外部からの要求に応じて、格納しているフレームを出力する
ことを特徴とする請求項２記載の通信障害検出装置。
【請求項５】
外部からの通知に応じてタイマを開始し、所定時間経過した後に、タイマ完了通知を出力する受信フレームタイマ部と、
前記ＯＮＵ、前記上位ネットワーク又は外部端末から特定のフレームフォーマット又はフレームパタンのフレームが受信された場合に、前記受信フレームタイマ部にタイマ開始通知を出力し、当該受信フレームタイマ部からタイマ完了通知を受信した場合に、前記内部状態保持部に内部状態遷移通知を出力するタイマ指示部とを備えた
ことを特徴とする請求項１記載の通信障害検出装置。
【請求項６】
外部からの通知に応じてタイマを開始し、所定時間経過した後に、タイマ完了通知を出力する受信フレームタイマ部と、
前記ＯＬＴ又は前記下位端末から特定のフレームフォーマット又はフレームパタンのフレームが受信された場合に、前記受信フレームタイマ部にタイマ開始通知を出力し、当該受信フレームタイマ部からタイマ完了通知を受信した場合に、前記内部状態保持部に内部状態遷移通知を出力するタイマ指示部とを備えた
ことを特徴とする請求項２記載の通信障害検出装置。
【国際調査報告】
2013088470.tif 000016
2013088470.tif 000017